(57)【要約】【課題】  ケーブルＡのプロテクタ用スペーサ１０の噛み込みを無くす。【解決手段】  車体に固定の固定具２０により、ケーブルＡをスペーサ１０を介して挟持固定する。固定具は、フラット片状基部２０ａから括れて幅せまとなった当て片２２が同一平面状に延び、その先端から円弧状に折り返された挟持片２３とからなる。当て片２２と挟持片２３の間にケーブルＡをスペーサ１０を介在して嵌め込み、挟持片２３を当て片２２側にカシメる。このカシメ時、首部（突起）２４にスペーサ１０の鍔１１が当接し、そのカシメにつれてスペーサ１０が当て片２２と挟持片２３の間からはみ出そうとしても、その鍔１１の首部２４への当接によってその移動が阻止される。このため、スペーサ１０は挟持片２３に噛み込まれることなく当て片２２と挟持片２３の間に挟持され、スペーサの損傷の恐れがなくなり、経年による挟持固定力の低下を招く恐れもない。【選択図】図１
2008273309.tif 000002
【特許請求の範囲】
【請求項１】
車体に固定の固定具（２０）のケーブル挟持部（２０ｃ）が、当て片（２２）と、その当て片（２２）の先端から円弧状に折り返されて前記当て片（２２）に並行の挟持片（２３）とからなり、前記当て片（２２）と挟持片（２３）の間にケーブル（Ａ）を嵌め込み、前記挟持片（２３）を前記ケーブル（Ａ）を介在して当て片（２２）側にカシメてその挟持片（２３）と当て片（２２）でケーブル（Ａ）を挟持固定した車体内のケーブル固定構造であって、
上記当て片（２２）が連続する上記固定具の基部（２０ａ）に突起（２４）を設け、この突起（２４）は、上記挟持片（２３）をカシメてケーブル（Ａ）が挟持固定された際、前記ケーブル（Ａ）に当接してそのケーブル（Ａ）の前記挟持片（２３）と当て片（２２）の間からの飛び出しを防止していることを特徴とする車体内のケーブル固定構造。
【請求項２】
上記ケーブル（Ａ）がそのケーブル（Ａ）に挿通されたスペーサ（１０）を介して挟持片（２３）と当て片（２２）で挟持固定され、そのスペーサ（１０）は円筒状をしてその両端に鍔（１１、１１）を有したものとし、上記当て片（２２）と挟持片（２３）を前記スペーサ（１０）両端の鍔（１１、１１）の間に嵌る幅の片状とするとともに、上記突起（２４）は、上記スペーサ両端の鍔（１１、１１）の間より外側に位置して、前記挟持片（２３）をカシメてケーブル（Ａ）が挟持固定された際、前記鍔（１１）に当接してケーブル（Ａ）の前記挟持片（２３）と当て片（２２）の間からの飛び出しを防止していることを特徴とする請求項１に記載の車体内のケーブル固定構造。
【請求項３】
上記当て片（２２）は上記固定具（２０）のフラット片状基部（２０ａ）から同一平面状に延びた平板片状であって、上記突起は、前記基部（２０ａ）から前記当て片（２２）に至る首部（２４）で形成されていることを特徴とする請求項２に記載の車体内のケーブル固定構造。
【発明の詳細な説明】
【技術分野】
【０００１】
この発明は、車輪速センサからの引き出されたケーブル等を車体に取付固定した車体内のケーブル固定構造に関する。
【背景技術】
【０００２】
例えば、自動車にＡＢＳ(アンチロック・ブレーキ・システム)を装備するには、その自動車の車輪速を測定する必要がある。その測定には車輪速センサが使用され、その車輪速センサは駆動車輪軸等の車輪軸周りに取り付けられ、この車輪速センサからケーブルでもってその制御器に検出信号を伝達する（特許文献１図１、特許文献２参照）。
【特許文献１】特開２００４−９９９６号公報
【特許文献２】特開２００５−１７０２０７号公報
【０００３】
このＡＢＳの装備において、車輪速センサから引き出されたケーブルは、その所要位置において車体に支持固定する（特許文献１図１参照）。そのケーブルの支持固定の一手段（構造）として、図６に示すように、車輪速センサＰから引き出されたケーブルＡの適宜位置（所要位置）にプロテクタとしてのスペーサ１０を介在して固定具２０を取付け、この固定具２０をその孔２１でもって車体の適宜位置にねじ止め等によって固定し、この固定具２０によりケーブルＡを車体に支持固定するものがある。図中、ＣはケーブルＡの端末に取付けたコネクタである。
【０００４】
その固定具２０は、図６、図７に示すように、ケーブル挟持部２０ｃが、当て片２２と、その当て片２２の先端から円弧状に折り返されて前記当て片２２に並行の挟持片２３とからなるものが一般的であり、当て片２２と挟持片２３の間にケーブルＡをそのケーブルＡに挿通したスペーサ１０を介在して嵌め込み、挟持片２３をケーブルＡ及びスペーサ１０を介在して当て片２２側にカシメてその挟持片２３と当て片２２でケーブルＡをスペーサ１０を介して挟持固定する。
【発明の開示】
【発明が解決しようとする課題】
【０００５】
この固定具２０によるケーブルＡの挟持固定時、図７に示すように、挟持片２３を当て片２２側に近づけカシメるにつれてケーブルＡ（スペーサ１０）が前側（当て片２２と挟持片２３の間の開口側）に移動して、ケーブルＡ（スペーサ１０）が挟持片２３の先端縁と当て片２２の間に噛み込む場合がある（同図（ｂ）参照）。
ケーブルＡが噛み込めば、ケーブルＡの損傷を招いて信号伝達などに支障が生じると共に、挟持固定力が低下し、経年によって、固定具２０からケーブルＡが外れる等の恐れがある。
【０００６】
この発明は、以上の実情に鑑み、上記ケーブルの噛み込み、スペーサを介在した場合にはそのスペーサの噛み込みも無くすことを課題とする。
【課題を解決するための手段】
【０００７】
上記の課題を達成するために、この発明は、上記当て片が連続する上記固定具の基部に突起を設け、この突起により、カシメ時のケーブルの移動を防止することとしたのである。
カシメ時のケーブルの移動が防止されれば、上記ケーブルの噛み込みは無くなる。スペーサを介在した場合も、同様に、上記突起により、カシメ時のスペーサの移動を防止するので、そのスペーサの噛み込みも無くなる。
【０００８】
この手段をなす発明の構成としては、車体に固定の固定具のケーブル挟持部が、当て片と、その当て片の先端から円弧状に折り返されて前記当て片に並行の挟持片とからなり、前記当て片と挟持片の間にケーブルを嵌め込み、前記挟持片を当て片側にカシメてその挟持片と当て片でケーブルを挟持固定した車体内のケーブル固定構造において、前記当て片が連続する固定具の基部に突起を設け、この突起は、前記挟持片をカシメてケーブルが挟持固定された際、前記ケーブルに当接してそのケーブルの前記挟持片と当て片の間からの飛び出しを防止している構成を採用する。
【０００９】
この構成は、ケーブルがそのケーブルに挿通したスペーサを介在して挟持片と当て片で挟持固定されるものにおいても採用できる。このものでは、突起はスペーサに当接してケーブルの挟持片と当て片の間からの飛び出しを防止する。このとき、スペーサのみが噛み込んだ場合でも、その噛み込みによって、カシメ高さが低くなってケーブル保持力が弱くなり、固定具からケーブルが脱落する恐れが高くなる。また、その噛み込みによってスペーサが破損する、又は破損し易くなり、破損すれば、固定具がケーブルに直接に触れることとなり、その接触状態は、固定具に対してケーブルが移動し易い状態のため、その移動によってケーブルがダメージを受け、最悪の場合には、断線する恐れがある。
【００１０】
上記突起は、上記挟持片をカシメてケーブルが挟持固定された際、前記ケーブル又はスペーサに当接してケーブルの前記挟持片と当て片の間からの飛び出しを防止し、かつ、ケーブルを当て片と挟持片の間に嵌める際の邪魔とならない限りにおいて、その位置、大きさ、高さ等を実験などによって適宜に設定する。
【００１１】
ケーブルがそのケーブルに挿通したスペーサを介在して挟持片と当て片で挟持固定されるものにあっては、例えば、上記スペーサが円筒状をしてその両端に鍔を有したものであり、上記当て片と挟持片を前記スペーサ両端の鍔の間に嵌る幅の片状とするものとした場合、上記突起は、前記スペーサ両端の鍔の間より外側に位置するものとする。このように外側に突起が位置すれば、前記挟持片をカシメてケーブルが挟持固定された際、その突起が前記鍔に当接してケーブルの前記挟持片と当て片の間からの飛び出しを防止する態様とすることができる。
【００１２】
このとき、上記当て片を、上記固定具のフラット片状基部から同一平面状に延びた平板片状とし、その突起は、前記基部から前記当て片に至る首部で形成されているものとすれば、その基部、当て片、挟持片を一枚の板から打ち抜きによって作ることができる。この突起は、基部の一方でも良いが（図３参照）、両端に設けることもできる（図１参照）。
また、上記固定具の基部の幅方向の中程に切り起しによって突片を形成して、その突片を上記突起とすることもできる（図４参照）。
【発明の効果】
【００１３】
この発明は、以上のように構成して、カシメ時のケーブル又はスペーサの移動を防止するようにしたので、ケーブル又はスペーサの噛み込みは無くなくなり、噛み込みによるケーブル又はスペーサの損傷の恐れがなくなるとともに、経年による挟持固定力の低下を招く恐れもない。
【発明を実施するための最良の形態】
【００１４】
この実施形態は、図６に示したＡＢＳの装備において、図１に示すように、車輪速センサＰから引き出されたケーブルＡの所要位置にスペーサ１０を介在して固定具２０を取付け、この固定具２０をその孔２１でもって車体の適宜位置にねじ止め等によって固定し、この固定具２０によりケーブルＡを車体に支持固定するものである。
【００１５】
スペーサ１０は、エチレン−プロピレンゴム（ＥＰＤＭ）からなるゴムプロテクタの一部により構成された円筒状スリーブからなり、その両端に鍔１１を有する。
固定具２０は、取付孔２１を有するコ字状の基部２０ａの両端にケーブル支持部２０ｂ、２０ｃを形成したものであり、下側のケーブル支持部２０ｂは、基部２０ａの先端を延ばしてコ字状に折り曲げて筒状にしたものであり、その筒状部にケーブルＡを挿通して支持する。この固定具２０におけるケーブル支持部２０ｃの当て片２２は、コ字状の基部２０ａの一方端のフラット片２０ａ’から同一平面状に延びている。
【００１６】
上側のケーブル支持部２０ｃは、後述のようにケーブルＡを挟持して支持するため、ケーブル挟持部となり、従来と同様に、当て片２２と、その当て片２２の先端から円弧状に折り返されて当て片２２に並行の挟持片２３とからなる。
その当て片２２は、上記フラット片状基部（端片）２０ａから内側に括れた後、同一平面状に延びた平板片状を呈し、さらに、挟持片２３はその当て片２２から同一幅に形成されており、この当て片２２と挟持片２３の幅は上記スペーサ１０の両端の鍔１１、１１の間に嵌るようになっている（図２（ｂ）参照）。
【００１７】
上記当て片２２の固定具基部２０ａから括れた首部がこの発明で言う突起２４を構成し、この突起２４，２４は、上記当て片２２と挟持片２３の幅より外側に位置してスペーサ１０の鍔１１、１１に対応する。
【００１８】
この実施形態の固定具２０は以上の構成であり、図２（ａ）に示すように、一方のケーブル支持部２０ｂにケーブルＡを挿通した後、同図（ｂ）に示すように、ケーブルＡを反転させて他方のケーブル支持部（ケーブル挟持部）２０ｃの当て片２２と挟持片２３の間に嵌め込み（挿通し）、その挟持片２３をケーブルＡ及びスペーサ１０を介在して当て片２２側にカシメてその挟持片２３と当て片２２でケーブルＡをスペーサ１０を介して挟持する（図１）。
【００１９】
このカシメ時、首部（突起）２４にスペーサ１０の鍔１１が当接し、そのカシメにつれてスペーサ１０（ケーブルＡ）が当て片２２と挟持片２３の間からはみ出そうとしても（図２（ｂ）の前側に移動しようとしても）、その鍔１１の首部２４への当接によってその移動が阻止される。このため、図１に示すように、ケーブルＡ（スペーサ１０）は挟持片２３に噛み込まれることなく当て片２２と挟持片２３の間に挟持される。
【００２０】
ケーブルＡが固定具２０に支持固定されれば、従来と同様に、この固定具２０をその孔２１でもって車体の適宜位置にねじ止め等によって固定し、この固定具２０によりケーブルＡを車体に支持固定する。この固定具２０の車体への固定は、固定具２０へのケーブルＡの挟持固定の都度、行っても良いが、所要数の固定具２０へのケーブルＡの挟持固定の都度、又は、ケーブルＡへの全ての固定具２０の挟持固定が終わった後に行う等と自由である。
【００２１】
上記首部（突起）２４は、図３に示すように、一方のみでも良い。この場合、スペーサ１０の一方の鍔１１は省略するとよい。
また、突起２４は、上記首部によらずとも、カシメ時のケーブルＡの移動を阻止し得るものであれば、任意であり、例えば、図４に示すように、切り起しによってその突起２４を形成することもできる。この場合の突起２４の大きさ・位置等も、例えば、同図鎖線のように任意である。このとき、突起２４と当て片２２先端縁との間から、ケーブルＡが当て片２２と挟持片２３の間に入り得るように、突起２４の向き等を適宜に設定する。
【００２２】
固定具２０は、上記形状のものに限らず、図７に示す形状等のケーブル挟持部２０ｃが、当て片２２と、その当て片２２の先端から円弧状に折り返されて前記当て片２２に並行の挟持片２３とからなるものであれば、何れでも良いことは明らかである。例えば、図５に示すような態様等でもこの発明を採用できる。
また、以上の実施形態は、スペーサ１０を介在したものであったが、スペーサ１０を介在しないものにおいても、この発明を採用することができ、さらに、車輪速センサＰからの引き出しケーブルＡの固定構造であったが、車体内の各種電装品からのケーブルＡの車体内への固定にこの発明を採用できることも勿論である。
【００２３】
このように、今回開示された実施の形態はすべての点で例示であって制限的なものではないと考えられるべきであり、本発明の範囲は、上記した意味ではなく、特許請求の範囲によって示され、特許請求の範囲と均等の意味および範囲内でのすべての変更が含まれることが意図される。
【図面の簡単な説明】
【００２４】
【図１】一実施形態の要部斜視図
【図２】同実施形態の作用図
【図３】他の実施形態の作用図
【図４】他の実施形態の作用図
【図５】他の実施形態の要部斜視図
【図６】車輪速センサの引き出しケーブルの取付け説明図
【図７】従来例の要部を示し、（ａ）は斜視図、（ｂ）は切断側面図
【符号の説明】
【００２５】
１０  スペーサ
１１  鍔
２０  固定具
２０ａ  固定具の基部
２０ｂ  固定具の一方のケーブル支持部
２０ｃ  固定具の他方のケーブル支持部（ケーブル挟持部）
２１  固定具の取付孔
２２  当て片
２３  挟持片
２４  突起（首部）
Ａ  ケーブル
Ｐ  車輪速センサ
【図１】
2008273309.tif 000003
【図２】
2008273309.tif 000004
【図３】
2008273309.tif 000005
【図４】
2008273309.tif 000006
【図５】
2008273309.tif 000007
【図６】
2008273309.tif 000008
【図７】
2008273309.tif 000009